(57)【要約】フレッシュニング製品が提供される。当該フレッシュニング製品は、フレッシュニング組成物及び噴射剤を含有するスプレーディスペンサを含む。当該フレッシュニング組成物は、当該組成物の重量に基づいて、約０．０２重量％〜約１．０重量％のイオウ含有プロ香料と、少なくとも１つの香料原料を含む香料混合物と、担体とを含む。当該フレッシュニング組成物は、当該フレッシュニング組成物の重量で、重量比約６：１〜約３５：１の香料混合物とイオウ含有プロ香料を含む。【特許請求の範囲】
【請求項１】
スプレーディスペンサを含むフレッシュニング製品であって、前記スプレーディスペンサが、フレッシュニング組成物及び噴射剤を含有し、前記フレッシュニング組成物が、前記組成物の重量に基づいて、約０．０２重量％〜約１．０重量％のイオウ含有プロ香料と、少なくとも１つの香料原料を含む香料混合物と、担体とを含み、前記フレッシュニング組成物が、前記フレッシュニング組成物の重量で、重量比約６：１〜約３５：１の香料混合物とイオウ含有プロ香料を含む、フレッシュニング製品。
【請求項２】
前記フレッシュニング組成物が、約３〜約９の範囲、より好ましくは、約４〜約６．５の範囲のｐＨを有する、請求項１に記載のフレッシュニング製品。
【請求項３】
香料混合物とイオウ含有プロ香料の前記重量比が、前記組成物の重量で、約８：１〜約２５：１、より好ましくは、約１０：１〜約２０：１である、請求項１又は２に記載のフレッシュニング製品。
【請求項４】
前記イオウ含有プロ香料が、前記フレッシュニング組成物の重量で、約０．０２重量％〜約１．０重量％、好ましくは、約０．０２重量％〜約０．８重量％、より好ましくは、約０．０３重量％〜約０．３重量％、最も好ましくは、約０．０３重量％〜約０．０９重量％の濃度で存在する、請求項１〜３のいずれか一項に記載のフレッシュニング製品。
【請求項５】
前記香料混合物が、前記フレッシュニング組成物の重量で、約０．２重量％〜約１．４重量％の濃度で存在する、請求項１〜４のいずれか一項に記載のフレッシュニング製品。
【請求項６】
前記フレッシュニング組成物が、カルボン酸を更に含み、より好ましくは、前記カルボン酸が、クエン酸又はポリアクリル酸である、請求項１〜５のいずれか一項に記載のフレッシュニング製品。
【請求項７】
前記フレッシュニング組成物が、ポリオールを含む、請求項１〜６のいずれか一項に記載のフレッシュニング製品。
【請求項８】
前記香料混合物が、前記フレッシュニング組成物の重量で、約０．２重量％〜約２．０重量％の濃度で存在する、請求項１〜７のいずれか一項に記載のフレッシュニング製品。
【請求項９】
前記香料混合物が、３−（１，３−ベンゾジオキソール−５−イル）−２−メチルプロパナール、カントキサール、バニリン、エチルバニリン、ベータイオノン、ジメチルアントラニレート、シトラール、ケイ皮アルデヒド、及びこれらの組み合わせからなる群から選択される少なくとも１つの材料を含む、請求項１〜８のいずれか一項に記載のフレッシュニング製品。
【請求項１０】
前記イオウ含有プロ香料が、Ｃ４〜Ｃ１２のチオダマスコンである、請求項１〜９のいずれか一項に記載のフレッシュニング製品。
【請求項１１】
前記スプレーディスペンサが、透明又は半透明である、請求項１〜１０のいずれか一項に記載のフレッシュニング製品。
【請求項１２】
前記フレッシュニング組成物が、水性組成物である、請求項１〜１１のいずれか一項に記載のフレッシュニング製品。
【請求項１３】
空気を清浄にする方法であって、加圧されたスプレーディスペンサ内に請求項１〜１２のいずれか一項に記載のフレッシュニング組成物を提供する工程と、噴霧液滴の形態で前記フレッシュニング組成物を空気中に噴霧する工程と、を含む、方法。
【請求項１４】
前記噴霧液滴が、約１０マイクロメートル〜約１００マイクロメートルの平均粒径を有する、請求項１３に記載の方法。
【請求項１５】
前記フレッシュニング組成物を噴霧する前記工程が、約０．１ｇ／秒〜約２．５ｇ／秒の範囲の流速で該フレッシュニング組成物を噴霧することを更に含む、請求項１３又は１４に記載の方法。
【発明の詳細な説明】
【技術分野】
【０００１】
本開示は、長期持続性フレッシュニング製品及び空気を清浄にする方法、より具体的には、イオウ含有プロ香料を含むフレッシュニング組成物、並びにそれを用いて空気を清浄にする製品及び方法に関する。
【背景技術】
【０００２】
布地などの無生物表面上及び空気中の香りを用いて悪臭を低減又はマスキングするフレッシュニング組成物が、現在入手可能であると共に、特許文献で説明されている。無生物表面及び空気中に長時間持続する香りを送達することができる組成物も存在する。一部の組成物は、長時間持続する香り又は清浄さを空気中に提供するために、多量の香料を含有する。しかし、このような組成物は、製品が最初に空気に送達された後、過剰な量の香りを空気中に送達することがある。
【発明の概要】
【発明が解決しようとする課題】
【０００３】
したがって、経時的に比較的一定の香りを送達すると同時に、空気に長時間持続する清浄さを提供するフレッシュニング組成物を提供することが有益である。
【課題を解決するための手段】
【０００４】
Ａ．スプレーディスペンサを含むフレッシュニング製品であって、当該スプレーディスペンサが、フレッシュニング組成物及び噴射剤を含有し、当該フレッシュニング組成物が、当該組成物の重量に基づいて、約０．０２重量％〜約１．０重量％のイオウ含有プロ香料と、少なくとも１つの香料原料を含む香料混合物と、担体とを含み、当該フレッシュニング組成物が、当該フレッシュニング組成物の重量で、重量比約６：１〜約３５：１の香料混合物とイオウ含有プロ香料を含む、フレッシュニング製品。
Ｂ．当該フレッシュニング組成物が、約３〜約９の範囲、より好ましくは、約４〜約６．５の範囲のｐＨを有する、段落Ａに記載のフレッシュニング製品。
Ｃ．当該フレッシュニング組成物の重量で、香料混合物のイオウ含有プロ香料に対する当該重量比が約８：１〜約２５：１、より好ましくは、約１０：１〜約２０：１である、段落Ａ又はＢに記載のフレッシュニング製品。
Ｄ．当該イオウ含有プロ香料が、当該フレッシュニング製品の重量で、約０．０２重量％〜約１．０重量％、好ましくは、約０．０２重量％〜約０．８重量％、より好ましくは、約０．０３重量％〜約０．３重量％、最も好ましくは、約０．０３重量％〜約０．０９重量％の濃度で存在する、段落Ａ〜Ｃのいずれか一項に記載のフレッシュニング製品。
Ｅ．当該香料混合物が、当該フレッシュニング製品の重量で、約０．２重量％〜約１．４重量％の濃度で存在する、段落Ａ〜Ｄのいずれか一項に記載のフレッシュニング製品。
Ｆ．当該フレッシュニング組成物が、カルボン酸を更に含み、より好ましくは、当該カルボン酸が、クエン酸又はポリアクリル酸である、段落Ａ〜Ｅのいずれか一項に記載のフレッシュニング製品。
Ｇ．当該フレッシュニング組成物が、ポリオールを含む、段落Ａ〜Ｆのいずれか一項に記載のフレッシュニング製品。
Ｈ．当該香料混合物が、当該フレッシュニング組成物の重量で、約０．２重量％〜約２．０重量％の濃度で存在する、段落Ａ〜Ｇのいずれか一項に記載のフレッシュニング製品。
Ｉ．当該香料混合物が、３−（１，３−ベンゾジオキソール−５−イル）−２−メチルプロパナール、カントキサール、バニリン、エチルバニリン、ベータイオノン、ジメチルアントラニレート、シトラール、及びこれらの組み合わせからなる群から選択される少なくとも１つの材料を含む、段落Ａ〜Ｈのいずれか一項に記載のフレッシュニング製品。
Ｊ．当該イオウ含有プロ香料が、Ｃ４〜Ｃ１２のチオダマスコンである、段落Ａ〜Ｉのいずれか一項に記載のフレッシュニング製品。
Ｋ．当該スプレーディスペンサが、プラスチックである、段落Ａ〜Ｊのいずれか一項に記載のフレッシュニング製品。
Ｌ．当該スプレーディスペンサが、透明又は半透明である、段落Ａ〜Ｋのいずれか一項に記載のフレッシュニング製品。
Ｍ．当該噴射剤が、圧縮ガス又は炭化水素を含む、段落Ａ〜Ｌのいずれか一項に記載のフレッシュニング製品。
Ｎ．可溶化剤を更に含む、段落Ａ〜Ｍのいずれか一項に記載のフレッシュニング製品。
Ｏ．湿潤剤を更に含む、段落Ａ〜Ｎのいずれか一項に記載のフレッシュニング製品。
Ｐ．当該フレッシュニング組成物が、二級又は三級アミンを更に含む、段落Ａ〜Ｏのいずれか一項に記載のフレッシュニング製品。
Ｑ．当該フレッシュニング組成物が、水性組成物である、段落Ａ〜Ｐのいずれか一項に記載のフレッシュニング製品。
Ｒ．空気を清浄にする方法であって、加圧されたスプレーディスペンサ内にフレッシュニング組成物を提供する工程であって、当該フレッシュニング組成物が、当該組成物の重量に基づいて、約０．０２重量％〜約１．０重量％のイオウ含有プロ香料と、少なくとも１つの香料原料を含む香料混合物と、担体とを含み、当該組成物が、重量比約６：１〜約３５：１の香料混合物とイオウ含有プロ香料を含む、提供する工程と、当該フレッシュニング組成物を噴霧液滴の形態で空気中に噴霧する工程とを含む方法。
Ｓ．当該組成物が、約３〜約９の範囲、より好ましくは、約４〜約６．５の範囲のｐＨを有する、段落Ｒに記載の方法。
Ｔ．当該組成物の重量で、香料混合物のイオウ含有プロ香料に対する当該重量比が約８：１〜約２５：１、より好ましくは、約１０：１〜約２０：１である、段落Ｒ〜Ｓのいずれか一項に記載の方法。
Ｕ．当該イオウ含有プロ香料が、当該フレッシュニング製品の重量で、約０．０２重量％〜約１．０重量％、好ましくは、約０．０２重量％〜約０．８重量％、より好ましくは、約０．０３重量％〜約０．３重量％、最も好ましくは、約０．０３重量％〜約０．０９重量％の濃度で存在する、段落Ｒ〜Ｔのいずれか一項に記載の方法。
Ｖ．当該香料混合物が、当該フレッシュニング製品の重量で、約０．２重量％〜約１．４重量％の濃度で存在する、段落Ｒ〜Ｕのいずれか一項に記載の方法。
Ｗ．カルボン酸を更に含み、好ましくは、当該カルボン酸が、クエン酸又はポリアクリル酸である、段落Ｒ〜Ｖのいずれか一項に記載の方法。
Ｘ．当該香料混合物が、当該組成物の重量で、約０．２重量％〜約２．０重量％で存在する、段落Ｒ〜Ｗのいずれか一項に記載の方法。
Ｙ．当該香料混合物が、３−（１，３−ベンゾジオキソール−５−イル）−２−メチルプロパナール、カントキサール、バニリン、エチルバニリン、ベータイオノン、ジメチルアントラニレート、シトラール、及びこれらの組み合わせからなる群から選択される少なくとも１つの材料を含む、段落Ｒ〜Ｘのいずれか一項に記載の方法。
Ｚ．当該イオウ含有プロ香料が、Ｃ４〜Ｃ１２のチオダマスコンである、段落Ｒ〜Ｙのいずれか一項に記載の方法。
ＡＡ．当該スプレーディスペンサが、プラスチックである、段落Ｒ〜Ｚのいずれか一項に記載の方法。
ＢＢ．当該スプレーディスペンサが、透明又は半透明である、段落Ｒ〜ＡＡのいずれか一項に記載の方法。
ＣＣ．当該噴射剤が、圧縮ガス又は炭化水素を含む、段落Ｒ〜ＢＢのいずれか一項に記載の方法。
ＤＤ．可溶化剤を更に含む、段落Ｒ〜ＣＣのいずれか一項に記載の方法。
ＥＥ．湿潤剤を更に含む、段落Ｒ〜ＤＤのいずれか一項に記載の方法。
ＦＦ．一級又は三級アミンを更に含む、段落Ｒ〜ＥＥのいずれか一項に記載の方法。
ＧＧ．当該噴霧液滴が、約１０マイクロメートル〜約１００マイクロメートルの平均粒径を有する、段落Ｒ〜ＦＦのいずれか一項に記載の方法。
ＨＨ．当該フレッシュニング組成物を噴霧する工程が、約０．１ｇ／秒〜約２．５ｇ／秒の範囲の流速で当該フレッシュニング組成物を噴霧することを更に含む、段落Ｒ〜ＧＧのいずれか一項に記載の方法。
ＩＩ．当該フレッシュニング組成物が、ポリオールを含む、段落Ｒ〜ＨＨのいずれか一項に記載の方法。
ＪＪ．当該フレッシュニング組成物が、水性組成物である、段落Ｒ〜ＩＩのいずれか一項に記載の方法。
【発明を実施するための形態】
【０００５】
本開示のフレッシュニング組成物は、空気中又は無生物表面上への香り放出を延長するように設計される。このような延長された清浄さ及び悪臭低減は、フレッシュニング組成物で空間を処理した後、少なくとも約４時間、又は少なくとも約６時間、又は少なくとも約８時間、又は少なくとも約２４時間、又は少なくとも約４８時間持続し得る。また、本開示のフレッシュニング組成物は、長期間にわたって比較的一定の香りを送達することもできる。更に、本開示のフレッシュニング組成物は、延長された貯蔵寿命にわたって安定であるように設計され得る。
【０００６】
本開示のフレッシュニング組成物は、イオウ含有プロ香料（複数可）、香料原料、及び担体を含む。
【０００７】
イオウ含有プロ香料
用語「イオウ含有プロ香料」は、本明細書において、イオウを含有するタイプのプロ香料化合物を指す。用語「プロ香料化合物」は、本明細書において、香料原料（「ＰＲＭｓ」又は、単数で「ＰＲＭ」）と他の化学物質との反応によって得られる化合物を指し、１つ以上のＰＲＭとこれらの他の化学物質との間に共有結合を有する。ＰＲＭはプロ香料化合物と呼ばれる新たな材料へと変換され、次に、これは水又は光又は大気中酸素等の誘因に曝露されると、元のＰＲＭ（すなわち、変換前のもの）を放出してもよい。好適なプロ香料化合物及びその作製方法は、米国特許第７，０１８，９７８号、同第６，８６１，４０２号、同第６，５４４，９４５号、同第６，０９３，６９１号、同第６，１６５，９５３号、及び同第６，０９６，９１８号に見出すことができる。
【０００８】
本明細書のイオウ含有プロ香料は、式（Ｉ）の化合物を含んでよく、
Ｙ−Ｓ−Ｇ−Ｑ  （Ｉ）
式中、
（ｉ）Ｙは、異性体を含む、本明細書において以下に示す（Ｙ−１）〜（Ｙ−７）からなる群から選択されるラジカルであり、
【０００９】
【化１】
2019510567.tif 000002
（式中、波線はイオウ（Ｓ）結合の位置を表し、点線は単結合又は二重結合を表す）
（ｉｉ）Ｇは、２〜１５個の炭素原子を有する直鎖又は分枝鎖アルキル又はアルケニルラジカル由来の二価又は三価のラジカルから選択され、
（ｉｉｉ）Ｑは、水素、−Ｓ−Ｙ基、又は−ＮＲ２−Ｙ基から選択され、Ｙは、独立して上記で定義したように選択され、またＲ２は、水素又はＣ１〜Ｃ３のアルキル基から選択される。
【００１０】
Ｇは、二価又は三価のラジカル、好ましくは、−ＯＲ１、−ＮＲ１２、−ＣＯＯＲ１、Ｒ１基、及びこれらの組み合わせからなる群から選択される１つ以上の基で置換された、２〜１５個の炭素原子を有する直鎖又は分枝鎖アルキル又はアルケニルラジカル由来の二価のラジカルであり得、ここでＲ１は、水素又はＣ１〜Ｃ６のアルキル若しくはアルケニル基から選択される。好ましくは、Ｇは、少なくとも１つの−ＣＯＯＲ１基、好ましくは、１つの−ＣＯＯＲ１基で置換された２〜１５個の炭素原子を有する直鎖又は分枝鎖アルキル又はアルケニルラジカル由来の二価のラジカルであり、ここでＲ１は、水素又はＣ１〜Ｃ６のアルキル又はアルケニル基から選択される。更により好ましくは、Ｇは、−ＣＨ２ＣＨ（ＣＯＯＲ１）基を有する直鎖アルキルラジカル由来の二価のラジカルであり、ここでＲ１は水素又はメチル若しくはエチル基である。Ｇは、置換又は非置換のいずれかの８〜１５個の炭素原子を有する直鎖アルキルラジカル由来の二価のラジカルであってもよい。
【００１１】
イオウ含有プロ香料は、Ｙが、上記で定義されるＹ−１、Ｙ−２、又はＹ−３基から選択され、Ｇ及びＱが、上記例のうちのいずれか１つにおいて定義される、式（Ｉ）の化合物であってもよい。イオウ含有プロ香料は、硫化物であってもよい。
【００１２】
好ましくは、イオウ含有プロ香料は、メチル又はエチル２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネート、メチル又はエチル２−（４−オキソ−４−（２，６，６−トリメチルシクロヘキサ−２−エン−１−イル）ブタン−２−イルアミノ）−３−（４−オキソ−４−（２，６，６−トリメチルシクロヘキサ−２−エン−１−イル）ブタン−２−イルチオ）プロパネート、メチル又はエチル２−（２−オキソ−４−（２，６，６−トリメチルシクロヘキサ−１−エン−１−イル）ブタン−４−イルアミノ）−３−（２−オキソ−４−（２，６，６−トリメチルシクロヘキサ−１−エン−１−イル）ブタン−４−イルチオ）プロパネート、メチル又はエチル２−（２−オキソ−４−（２，６，６−トリメチルシクロヘキサ−２−エン−１−イル）ブタン−４−イルアミノ）−３−（２−オキソ−４−（２，６，６−トリメチルシクロヘキサ−２−エン−１−イル）ブタン−４−イルチオ）プロパネート、３−（ドデシルチオ）−１−（２，６，６−トリメチルシクロヘキサ−３−エン−１−イル）−１−ブタノン、３−（ドデシルチオ）−１−（２，６，６−トリメチルシクロヘキサ−２−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン、２−ドデシルスルファニル−５−メチル−ヘプタン−４−オン、２−シクロヘキシル−１−ドデシルスルファニル−ヘプタ−６−エン−３−オン、３−（ドデシルチオ）−５−イソプロペニル−２−メチルシクロヘキサノン、及びこれらの組み合わせからなる群から選択される。
【００１３】
より好ましくは、イオウ含有プロ香料化合物は、３−（ドデシルチオ）−１−（２，６，６−トリメチルシクロヘキサ−３−エン−１−イル）−１−ブタノン、４−（ドデシルチオ）−４−（２，６，６−トリメチルシクロヘキサ−２−エン１−イル）−２−ブタノン、４−（ドデシルチオ）−４−（２，６，６−トリメチルシクロヘキサ−１−エン−１−イル）−２−ブタノン、及び３−（ドデシルチオ）−５−イソプロペニル−２−メチルシクロヘキサノン、並びにこれらの組み合わせからなる群から選択される。３−（ドデシルチオ）−１−（２，６，６−トリメチルシクロヘキサ−３−エン−１−イル）−１−ブタノン、例えばＦｉｒｍｅｎｉｃｈ（Ｇｅｎｅｖａ，Ｓｗｉｔｚｅｒｌａｎｄ）から入手可能なＨａｌｏｓｃｅｎｔ（登録商標）Ｄは、最も好ましいイオウ含有プロ香料化合物である。
【００１４】
イオウ含有プロ香料化合物は、組成物中に様々な濃度で存在し得る。好ましくは、イオウ含有プロ香料化合物は、当該組成物の少なくとも約０．０１重量％〜約１．０重量％、あるいは約０．０２重量％〜約０．８重量％、あるいは約０．０３重量％〜約０．５重量％、あるいは約０．０３重量％〜約０．３重量％、あるいは約０．０３重量％〜約０．０９重量％、あるいは少なくとも約０．０２重量％、あるいは少なくとも約０．０３重量％、あるいは少なくとも約０．０４重量％、あるいは少なくとも約０．０５重量％の量で存在する。
【００１５】
フレッシュニング組成物は、以下に示す一般構造を有するドデシルチオダマスコンを含み得る。
【００１６】
【化２】
2019510567.tif 000003
【００１７】
チオダマスコンは、当該組成物の約０．０１重量％〜約１．０重量％、あるいは約０．０２重量％〜約０．８重量％、あるいは約０．０３重量％〜約０．５重量％、あるいは約０．０３重量％〜約０．３重量％、あるいは約０．０３重量％〜約０．０９重量％、あるいは少なくとも約０．０２重量％、あるいは少なくとも約０．０３重量％、あるいは少なくとも約０．０４重量％、あるいは少なくとも約０．０５重量％の量で存在し得る。
【００１８】
香料混合物
また、フレッシュニング組成物は、少なくとも１つの香料原料（ＰＲＭ）を含む香料混合物も含む。様々なＰＲＭが使用され得る。フレッシュニング組成物は、以下の香料原料のうちの１つ以上を含む香料混合物を含み得る。本明細書で使用される場合、「香料原料」とは、以下の成分のうちの１つ以上を指す：芳香性精油；芳香化合物；プロ香料；安定剤、希釈剤、加工剤、及び混入物質を含む、芳香性精油、芳香化合物、及び／又はプロ香料と共に供給される材料；並びに芳香性精油、芳香化合物、及び／又はプロ香料に一般的に付随する任意の材料。
【００１９】
ＰＲＭは、ケトンを含み得る。ケトンは、１つ以上のケトン部分を含有し、かつ望ましい香りを付与することができる任意のＰＲＭを含んでよい。ＰＲＭは、以下からなる群から選択されるＰＲＭを含むケトンを含み得る：ブコキシム；イソジャスモン；メチルβナフチルケトン；ムスクインダノン；トナリド／ムスクプラス；α−ダマスコン、β−ダマスコン、δ−ダマスコン、イソ−ダマスコン、ダマセノン、ダマロース、メチル−ジヒドロジャスモネート、メントン、カルボン、カンファー、フェンコン、α−イオノン、β−イオノン、ジヒドロ−β−イオノン、γ−メチル、いわゆるイオノン、フロイラモン、ジヒドロジャスモン、ｃｉｓ−ジャスモン、イソ−ｅ−スーパー、メチル−セドレニル−ケトン又はメチル−セドリロン、アセトフェノン、メチル−アセトフェノン、パラ−メトキシ−アセトフェノン、メチル−β−ナフチル−ケトン、ベンジル−アセトン、ベンゾフェノン、パラ−ヒドロキシ−フェニル−ブタノン、セロリケトン又はリブスコン、６−イソプロピルデカヒドロ−２−ナフトン、ジメチル−オクテノン、フレスコメンテ、４−（１−エトキシビニル）−３，３，５，５−テトラメチル−シクロヘキサノン、メチル−ヘプテノン、２−（２−（４−メチル−３−シクロヘキセン−１−イル）プロピル）−シクロペンタノン、１−（ｐ−メンテン−６（２）−イル）−１−プロパノン、４−（４−ヒドロキシ−３−メトキシフェニル）−２−ブタノン、２−アセチル−３，３−ジメチル−ノルボルナン、６，７−ジヒドロ−１，１，２，３，３−ペンタメチル−４（５ｈ）−インダノン、４−ダマスコール、ドルシニル又はカシオン、ゲルソン、ヘキサロン、イソシクレモンｅ、メチルシクロシトロン、メチル−ラベンダー−ケトン、オリボン、パラ−ｔｅｒｔ−ブチル−シクロヘキサノン、ベルドン、デルフォン、ムスコン、ネオブテノン、プリカトン、ベロウトン、２，４，４，７−テトラメチル−オクト−６−エン−３−オン、テトラメラン、ヘジオン、フロラロゾン、γ−ウンデカラクトン、エチレンブラシレート、ペンタデカノリド、メチルノニルケトン、シクロペンタデカノン、環状エチレンドデカンジオエート、３，４，５，６−テトラヒドロシュードイオノン、８−ヘキサデセノリド、ジヒドロジャスモン、５−シクロヘキサデセノン、及びこれらの組み合わせ。
【００２０】
ケトンを含むＰＲＭは、α−ダマスコン、δ−ダマスコン、イソ−ダマスコン、カルボン、γ−メチル−イオノン、β−イオノン、イソ−ｅ−スーパー、２，４，４，７−テトラメチル−オクタ−６−エン−３−オン、ベンジルアセトン、β−ダマスコン、ダマセノン、メチルジヒドロジャスモネート、メチルセドリロン、ヘジオン、フロラロゾン、及びこれらの組み合わせからなる群から選択されるＰＲＭを含む。好ましくは、ケトンを含むＰＲＭはδ−ダマスコンを含む。
【００２１】
フレッシュニング組成物は、香り特性に寄与し、化学反応を介して気相及び／又は液相の悪臭を中和するアルデヒドの混合物を含み得る。部分的に反応性又は揮発性であるアルデヒドは、本明細書で使用される場合、反応性アルデヒドとみなされ得る。反応性アルデヒドは、シッフ塩基形成経路に従って、アミン系臭気と反応することができる。また、反応性アルデヒドは、イオウ系臭気とも反応し、気相及び／又は液相のチオールアセタール、へミチオールアセタール、及びチオールエステルを形成することができる。これら気相及び／又は液相の反応性アルデヒドが、製品の所望の香料特性、色、又は安定性に実質的に悪影響を及ぼさないことが、望ましい場合がある。
【００２２】
フレッシュニング組成物は、本明細書で使用される場合、揮発性アルデヒドとみなされ得る部分的に揮発性であるアルデヒドの混合物を含み得る。また、揮発性アルデヒドは、特定の沸点（Ｂ．Ｐ．）及びオクタノール／水分配係数（Ｐ）も有し得る。本明細書で言及される沸点は、１０１ｋＰａ（７６０ｍｍＨｇ）の通常標準圧力下で測定される。標準的な１０１ｋＰａ（７６０ｍｍＨｇ）における多くの揮発性アルデヒドの沸点は、例えば、Ｓｔｅｆｆｅｎ  Ａｒｃｔａｎｄｅｒ著、１９６９年発行の「Ｐｅｒｆｕｍｅ  ａｎｄ  Ｆｌａｖｏｒ  Ｃｈｅｍｉｃａｌｓ（Ａｒｏｍａ  Ｃｈｅｍｉｃａｌｓ）」に記載されている。
【００２３】
揮発性アルデヒドのオクタノール／水分配係数は、オクタノール中での当該アルデヒドの平衡濃度と水中での当該アルデヒドの平衡濃度との比である。悪臭制御組成物で使用される揮発性アルデヒドの分配係数は、１０を底とする対数ｌｏｇＰの形でより簡便に示され得る。多くの揮発性アルデヒドのｌｏｇＰ値が報告されている。例えば、Ｄａｙｌｉｇｈｔ  Ｃｈｅｍｉｃａｌ  Ｉｎｆｏｒｍａｔｉｏｎ  Ｓｙｓｔｅｍｓ，Ｉｎｃ．（Ｄａｙｌｉｇｈｔ  ＣＩＳ）（Ｉｒｖｉｎｅ，Ｃａｌｉｆｏｒｎｉａ）から入手可能なＰｏｍｏｎａ９２データベースを参照されたい。しかし、ｌｏｇＰ値は、同様にＤａｙｌｉｇｈｔ  ＣＩＳから入手可能な「ＣＬＯＧＰ」プログラムによって最も簡便に計算される。また、このプログラムは、Ｐｏｍｏｎａ９２データベースで入手可能な場合には、ｌｏｇＰの実験値も列挙する。「ｌｏｇＰの計算値」（ＣｌｏｇＰ値）は、Ｈａｎｓｃｈ及びレオＬｅｏのフラグメント法によって求められる（Ａ．ＬｅｏのＣｏｍｐｒｅｈｅｎｓｉｖｅ  Ｍｅｄｉｃｉｎａｌ  Ｃｈｅｍｉｓｔｒｙ，Ｖｏｌ．４，Ｃ．Ｈａｎｓｃｈ，Ｐ．Ｇ．Ｓａｍｍｅｎｓ，Ｊ．Ｂ．Ｔａｙｌｏｒ  ａｎｄ  Ｃ．Ａ．Ｒａｍｓｄｅｎ，Ｅｄｓ．，ｐ．２９５，Ｐｅｒｇａｍｏｎ  Ｐｒｅｓｓ，１９９０を参照）。フラグメント法は、各揮発性アルデヒドの化学構造に基づき、原子の数及び種類、原子の結合性、並びに化学結合を考慮するものである。最も信頼でき、かつこの物理化学的特性について広く用いられている推定値であるＣｌｏｇＰ値が、好ましくは、悪臭制御組成物のための揮発性アルデヒドの選択においてｌｏｇＰの実験値の代わりに用いられる。
【００２４】
ＣｌｏｇＰ値は、４つの群によって定義することができ、揮発性アルデヒドは、これら群のうちの１つ以上から選択することができる。第１群は、約２５０℃以下のＢ．Ｐ．及び約３以下のＣｌｏｇＰを有する揮発性アルデヒドを含む。第２群は、２５０℃以下のＢ．Ｐ．及び３．０以上のＣｌｏｇＰを有する揮発性アルデヒドを含む。第３群は、２５０℃以上のＢ．Ｐ．及び３．０以下のＣｌｏｇＰを有する揮発性アルデヒドを含む。第４群は、２５０℃以上のＢ．Ｐ．及び３．０以上のＣｌｏｇＰを有する揮発性アルデヒドを含む。悪臭制御組成物は、ＣｌｏｇＰ群のうちの１つ以上からの揮発性アルデヒドの任意の組み合わせを含み得る。
【００２５】
悪臭制御組成物は、フレッシュニング組成物の総重量で、約０％〜約３０％、あるいは約２５％の第１群の揮発性アルデヒド、及び／又は約０％〜約１０％、あるいは約１０％の第２群の揮発性アルデヒド、及び／又は約１０％〜約３０％、あるいは約３０％の第３群の揮発性アルデヒド、及び／又は約３５％〜約６０％、あるいは約３５％の第４群の揮発性アルデヒドを含み得る。
【００２６】
フレッシュニング組成物で用いることができる例示的な反応性かつ／又は揮発性アルデヒドとしては、アドキサル（２，６，１０−トリメチル−９−ウンデセナール）、ブルゲオナール（４−ｔ−ブチルベンゼンプロピオンアルデヒド）、リレストラリス（Lilestralis）  ３３（２−メチル−４−ｔ−ブチルフェニル）プロパナール）、ケイ皮酸アルデヒド、ケイ皮アルデヒド（フェニルプロペナール、３−フェニル−２−プロペナール）、シトラール、ゲラニアール、ネラール（ジメチルオクタジエナール、３，７−ジメチル−２，６−オクタジエン−１−アール）、シクラール  Ｃ（２，４−ジメチル−３−シクロヘキセン−１−カルバルデヒド）、フロルヒドラル（３−（３−イソプロピル−フェニル）−ブチルアルデヒド）、シトロネラール（３，７−ジメチル６−オクテナール）、サイマール、シクラメンアルデヒド、シクロサール、ライムアルデヒド（α−メチル−ｐ−イソプロピルフェニルプロピルアルデヒド）、メチルノニルアセトアルデヒド、アルデヒドＣ１２  ＭＮＡ（２−メチル−１−ウンデカナール）、ヒドロキシシトロネラール、シトロネラール水和物（７−ヒドロキシ−３，７−ジメチルオクタン−１−アール）、ヘリオナール（３−（１，３−ベンゾジオキソール−５−イル）−２−メチルプロパナール；２−メチル−３−（３，４−メチレンジオキシフェニル）プロパナール）、イントレレベンアルデヒド（Intreleven aldehyde）（ウンデカ−１０−エン−１−アール）、リグストラール、トリベルタール（２，４−ジメチル−３−シクロヘキセン−１−カルボキシアルデヒド）、ジャスモレンジ（jasmorange）、サテンアルデヒド（２−メチル−３−トリルプロイオンアルデヒド、４−ジメチルベンゼンプロパナール）、リラール（４−（４−ヒドロキシ−４−メチルペンチル）−３−シクロヘキセン−１−カルボキシアルデヒド）、メロナール（２，６−ジメチル−５−ヘプテナール）、メトキシメロナール（６−メトキシ−２，６−ジメチルヘプタナール）、メトキシケイ皮アルデヒド（ｔｒａｎｓ−４−メトキシケイ皮アルデヒド）、マイラックアルデヒドイソヘキセニルシクロヘキセニル−カルボキシアルデヒド、トリフェルナール（（３−メチル−４−フェニルプロパナール、３−フェニルブタナール、）、リリアール、Ｐ．Ｔ．ブシナール、リスメラール、ベンゼンプロパナール（４−ｔｅｒｔ−ブチル−アルファ−メチル−ヒドロシンナムアルデヒド）、デュピカール、トリシクロデシリデンブタナール（４−トリシクロ５２１０−２，６デシリデン−８ブタナール）、メラフレール（１，２，３，４，５，６，７，８−オクタヒドロ−８，８−ジメチル−２−ナフトアルデヒド）、メチルオクチルアセトアルデヒド、アルデヒドＣ−１１  ＭＯＡ（２−メチルデカ−１−アール）、オニシダール（２，６，１０−トリメチル−５，９−ウンデカジエン−１−アール）、シトロネリルオキシアセトアルデヒド、ミュゲアルデヒド５０（３，７−ジメチル−６−オクテニル）オキシアセトアルデヒド）、フェニルアセトアルデヒド、メフラナール（３−メチル−５−フェニルペンタナール）、トリプラール、ベルトシトラール ジメチルテトラヒドロベンゼンアルデヒド（２，４−ジメチル−３−シクロヘキセン−１−カルボキシアルデヒド）、２−フェニルプロピリオンアルデヒド、ヒドラトロプアルデヒド、カントキサール、アニシルプロパナール４−メトキシ−アルファー−メチルベンゼンプロパナール（２−アニシリデンプロパナール）、シクレモン  Ａ（Cylcemone A）（１，２，３，４，５，６，７，８−オクタヒドロ−８，８−ジメチル−２−ナフトアルデヒド）、及びプレシクレモン  Ｂ（Precylcemone B）（１−シクロヘキセン−１−カルボキシアルデヒド）が挙げられるが、これらに限定されない。
【００２７】
更に他の代表的なアルデヒドとしては、アセトアルデヒド（エタナール）、ペンタナール、バレルアルデヒド、アミルアルデヒド、センテナール（オクタヒドロ−５−メトキシ−４，７−メタノ−１Ｈ−インデン−２−カルボキシアルデヒド）、プロピオンアルデヒド（プロパナール）、シクロシトラール、β−シクロシトラール、（２，６，６−トリメチル−１−シクロヘキセン−１−アセトアルデヒド）、イソシクロシトラール（２，４，６−トリメチル−３−シクロヘキセン−１−カルボキシアルデヒド）、イソブチルアルデヒド、ブチルアルデヒド、イソバレルアルデヒド（３−メチルブチルアルデヒド）、メチルブチルアルデヒド（２−メチルブチルアルデヒド、２−メチルブタナール）、ジヒドロシトロネラール（３，７−ジメチルオクタン−１−アール）、２−エチルブチルアルデヒド、３−メチル−２−ブテナール、２−メチルペンタナール、２−メチルバレルアルデヒド、ヘキセナール（２−ヘキセナール、トランス−２−ヘキセナール）、ヘプタナール、オクタナール、ノナナール、デカナール、ラウリンアルデヒド、トリデカナール、２−ドデカナール、メチルチオブタナール、グルタルアルデヒド、ペンタンジアール、グルタルアルデヒド、ヘプテナール、シス又はトランス−ヘプテナール、ウンデセナール（２−、１０−）、２，４−オクタジエナール、ノネナール（２−、６−）、デセナール（２−、４−）、２，４−ヘキサジエナール、２，４−デカジエナール、２，６−ノナジエナール、オクテナール、２，６−ジメチル５−ヘプテナール、２−イソプロピル−５−メチル−２−ヘキセナール、トリフェルナール、βメチルベンゼンプロパナール、２，６，６−トリメチル−１−シクロヘキセン−１−アセトアルデヒド、フェニルブテナール（２−フェニル２−ブテナール）、２．メチル−３（ｐ−イソプロピルフェニル）−プロピオンアルデヒド、３−（ｐ−イソプロピルフェニル）−プロピオンアルデヒド、ｐ−トリルアセトアルデヒド（４−メチルフェニルアセトアルデヒド）、アニスアルデヒド（ｐ−メトキシベンゼンアルデヒド）、ベンズアルデヒド、ベルンアルデヒド（１−メチル−４−（４−メチルペンチル）−３−シクロヘキセンカルボアルデヒド）、ヘリオトロピン（ピペロナール）３，４−メチレンジオキシベンズアルデヒド、α−アミルケイ皮アルデヒド、２−ペンチル−３−フェニルプロペンアルデヒド、バニリン（４−メトキシ３−ヒドロキシベンズアルデヒド）、エチルバニリン（３−エトキシ４−ヒドロキシベンズアルデヒド）、ヘキシルケイ皮アルデヒド、ジャスモナールＨ（α−ｎ−ヘキシル−シンナムアルデヒド）、フローラルオゾン（パラ−エチル−α，α−ジメチルヒドロシンナムアルデヒド）、アカレア（ｐ−メチル−α−ペンチルシンナムアルデヒド）、メチルシンナムアルデヒド、α−メチルシンナムアルデヒド（２−メチル３−フェニルプロペナール）、α−ヘキシルシンナムアルデヒド（２−ヘキシル３−フェニルプロペナール）、サリチルアルデヒド（２−ヒドロキシベンズアルデヒド）、４−エチルベンズアルデヒド、クミンアルデヒド（４−イソプロピルベンズアルデヒド）、エトキシベンズアルデヒド、２，４−ジメチルベンズアルデヒド、ベラトルムアルデヒド（３，４−ジメトキシベンズアルデヒド）、シリンガアルデヒド（３，５−ジメトキシ４−ヒドロキシベンズアルデヒド）、カテックアルデヒド（３，４−ジヒドロキシベンズアルデヒド）、サフラナール（２，６，６−トリメチル−１，３−ジエンメタナール）、ミルテナール（ピン−２−エン−１−カルバルデヒド）、ペリルアルデヒドＬ−４（１−メチルエテニル）−１−シクロヘキセン−１−カルボキシアルデヒド）、２，４−ジメチル−３−シクロヘキセンカルボキシアルデヒド、２−メチル−２−ペンテナール、２−メチルペンテナール、ピルバルデヒド、ホルミルトリシクロデカン、マンダリンアルデヒド、シクレマックス、ピノアセトアルデヒド、コープス アイリス、マセアール（Maceal）、及びコープス  ４３２２が挙げられるが、これらに限定されない。
【００２８】
香料混合物は、表１からの１つ以上の香料原料の香料混合物を含み得る。
【００２９】
【表１−１】
2019510567.tif 000004
【００３０】
【表１−２】
2019510567.tif 000005
【００３１】
【表１−３】
2019510567.tif 000006
【００３２】
【表１−４】
2019510567.tif 000007
【００３３】
【表１−５】
2019510567.tif 000008
【００３４】
香料混合物は、３−（１，３−ベンゾジオキオール−５−イル）−２−メチルプロパナール（商標名Ｈｅｌｉｏｎａｌ）、カントキサール、イオノンβ、インドール、バニリン、エチルバニリン、ケイ皮アルデヒド、マセアール、トリプラール抽出物、２，６−ノナジエン−１−アール、リグストラール、シトロネラール、オイゲノール、アントラニル酸メチル、アントラニル酸ジメチル、及びこれらの組み合わせからなる群から選択される香料原料を含み得る。香料混合物は、３−（１，３−ベンゾジオキソール−５−イル）−２−メチルプロパナール、カントキサール、バニリン、エチルバニリン、シトラール、リグストラール、ケイ皮アルデヒド、及びこれらの組み合わせからなる群から選択される香料原料を含み得る。フレッシュニング組成物は、組成物全体の重量で、約０．０００１重量％〜約５重量％、あるいは約０．０１重量％〜約２重量％、あるいは約０．１重量％〜１．５重量％、あるいは約０．２重量％〜約１．４重量％の、３−（１，３−ベンゾジオキソール−５−イル）−２−メチルプロパナール、カントキサール、バニリン、エチルバニリン、シトラール、リグストラール、ケイ皮アルデヒド、及びこれらの組み合わせからなる群から選択される香料原料を含み得る。フレッシュニング組成物は、組成物全体の重量で、約０．００１重量％〜約０．５重量％の、３−（１，３−ベンゾジオキソール−５−イル）−２−メチルプロパナール、カントキサール、バニリン、エチルバニリン、シトラール、リグストラール、ケイ皮アルデヒド、及びこれらの組み合わせからなる群から選択される香料原料を含み得る。香料混合物は、アントラニル酸ジメチルを含み得る。
【００３５】
全香料混合物は、組成物全体の重量で、約０．０００１重量％〜約１０重量％、あるいは約０．０１重量％〜約５重量％、あるいは約０．０１重量％〜約２重量％、あるいは約０．１重量％〜約１．５重量％、あるいは約０．２重量％〜約１．４重量％の量で存在し得る。
【００３６】
香料混合物のイオウ含有プロ香料に対する重量比は、組成物の重量で、約６：１〜約５０：１、又は約６：１〜約３５：１、又は約８：１〜約２５：１、又は約１０：１〜２０：１であってよい。
【００３７】
香料混合物のチオダマスコンに対する重量比は、組成物の重量で、約６：１〜約５０：１、又は約６：１〜約３５：１、又は約８：１〜約２５：１、又は約１０：１〜２０：１であってよい。
【００３８】
理論によって束縛されるものではないが、香料混合物のイオウ含有プロ香料に対する比は、空気中の清浄さの知覚性の最小閾値を提供すると考えられる。
【００３９】
ポリオール
フレッシュニング組成物は、ポリオールを含み得る。フレッシュニング組成物の臭気中和を改善する悪臭中和剤として、エチレングリコール、ジエチレングリコール、トリエチレングリコール、プロピレングリコール、ジプロピレングリコール、及び／又はグリセリンなど、水と比べて比較的高い沸点を有する低分子量ポリオールを利用してよい。一部のポリオール、例えば、ジプロピレングリコールは、組成物中の一部の香料成分の可溶化を促進するのにも有用である。
【００４０】
フレッシュニング組成物で使用されるグリコールは、グリセリン、エチレングリコール、プロピレングリコール、ジプロピレングリコール、ポリエチレングリコール、プロピレングリコールメチルエーテル、プロピレングリコールフェニルエーテル、プロピレングリコールメチルエーテルアセテート、ジプロピレングリコールメチルエーテルアセタート、プロピレングリコールｎ−ブチルエーテル、ジプロピレングリコールｎ−ブチルエーテル、ジプロピレングリコールｎ−プロピルエーテル、エチレングリコールフェニルエーテル、ジエチレングリコールｎ−ブチルエーテル、ジプロピレングリコールｎ−ブチルエーテル、ジエチレングリコールモノブチルエーテル、ジプロピレングリコールメチルエーテル、トリプロピレングリコールメチルエーテル、トリプロピレングリコールｎ−ブチルエーテル、他のグリコールエーテル、又はこれらの混合物であってよい。使用されるグリコールは、エチレングリコール、プロピレングリコール、又はこれらの混合物であり得る。使用されるグリコールは、ジエチレングリコールであってもよい。
【００４１】
典型的には、低分子量ポリオールは、組成物の約０．０１重量％〜約５重量％、あるいは約０．０５重量％〜約１重量％、あるいは組成物の約０．１重量％〜約０．５重量％の濃度で当該組成物に添加される。濃度の高い組成物ほど、布地が汚れの影響を受けやすくなる場合があり、及び／又は、フレッシュニング組成物の溶液が布地から蒸発すると、許容不能な目に見える染みが布地上に残る場合がある。低分子量ポリオールの悪臭結合ポリマーに対する重量比は、約５００：１〜約４：１、あるいは約１：１００〜約２５：１、あるいは約１：５０〜約４：１、あるいは約４：１である。
【００４２】
シクロデキストリン
フレッシュニング組成物は、可溶化された水溶性の非錯体化型シクロデキストリンを含んでもよい。本明細書で使用される場合、用語「シクロデキストリン」は、６〜１２個のグルコース単位を含有する非置換シクロデキストリン、特に、α−シクロデキストリン、β−シクロデキストリン、γ−シクロデキストリン、及び／又はこれらの誘導体及び／又はこれらの混合物のような公知のシクロデキストリンのいずれかを含む。α−シクロデキストリンは６個のグルコース単位からなり、β−シクロデキストリンは７個のグルコース単位からなり、γ−シクロデキストリンは、ドーナツ状の環に配置された８個のグルコース単位からなる。これらのグルコース単位の特異結合及びコンホメーションによって、特定の体積の中空の内側を有する剛性の円錐形分子構造をシクロデキストリンにもたらす。内部空洞の「内張り」は、水素原子とグリコシド結合の酸素原子によって形成されているので、この表面はかなりの疎水性を有する。この空洞の独自の形と物理的・化学的特性によって、シクロデキストリン分子は、その空洞に収まることのできる有機分子又は有機分子の一部を吸収する（その空洞に収まることのできる有機分子又は有機分子の一部と包接錯体を形成する）ことができるようになる。多くの香料分子は、上記の空洞に収まることができる。
【００４３】
シクロデキストリン分子は、米国特許第５，７１４，１３７号及び同第５，９４２，２１７号に記載されている。シクロデキストリンの好適な濃度は、フレッシュニング組成物の約０．１重量％〜約５重量％、あるいは約０．２重量％〜約４重量％、あるいは約０．３重量％〜約３重量％、あるいは約０．４重量％〜約２重量％である。濃度の高いフレッシュニング組成物ほど、布地が汚れの影響を受けやすくなり得、及び／又は、フレッシュニング組成物の溶液が布地から蒸発すると、許容不能な目に見える染みが布地上に残り得る。後者は、薄く、着色された合成布地上で特に問題となる。布地の染みの発生を回避又は最小化するために、布地１ｍｇ当たり約５ｍｇ未満の濃度のシクロデキストリン、あるいは布地１ｍｇ当たり約２ｍｇ未満の濃度のシクロデキストリンで布地を処理してもよい。
【００４４】
緩衝剤
フレッシュニング組成物は、緩衝剤を含み得る。緩衝剤は、酸性緩衝剤であり得る。緩衝剤は、二塩基酸、カルボン酸、又はジカルボン酸であり得る。カルボン酸は、例えば、クエン酸、ポリアクリル酸、又はマレイン酸であり得る。酸は、立体的に安定であり得る。酸は、所望のｐＨを維持するために組成物で使用され得る。フレッシュニング組成物は、約４〜約９、あるいは約４〜約８、あるいは約４〜約６．９、あるいは約４〜約６．５のｐＨを有し得る。
【００４５】
フレッシュニング組成物用の他の好適な緩衝剤としては、生物学的緩衝剤が挙げられる。一部の例は、窒素含有物質、３−（Ｎ−モルホリノ）プロパンスルホン酸（ＭＯＰＳ）又はＮ−（２−アセトアミド）−２−アミノエタンスルホン酸（ＡＣＥＳ）のようなスルホン酸緩衝剤であり、これらのｐＫａは中性付近の６．２〜７．５であり、中性のｐＨにおいて十分な緩衝力を発揮する。他の例は、リシンなどのアミノ酸、又はモノ−、ジ−及びトリ−エタノールアミンなどの低級アルコールアミン、又はメチルジエタノールアミン、又はこれらの誘導体である。他の窒素含有緩衝剤は、トリ（ヒドロキシメチル）アミノメタン（ＨＯＣＨ２）３ＣＮＨ３（トリス）、２−アミノ−２−エチル−１，３−プロパンジオール、２−アミノ−２−メチル−プロパノール、２−アミノ−２−メチル−１，３−プロパノール、グルタミン酸二ナトリウム、Ｎ−メチルジエタノールアミド、２−ジメチルアミノ−２−メチルプロパノール（ＤＭＡＭＰ）、１，３−ビス（メチルアミン）−シクロヘキサン、１，３−ジアミノ−プロパノールＮ，Ｎ’−テトラ−メチル−１，３−ジアミノ−２−プロパノール、Ｎ，Ｎ−ビス（２−ヒドロキシエチル）グリシン（ビシン）、及びＮ−トリス（ヒドロキシメチル）メチルグリシン（トリシン）である。上記のいずれかの混合物も許容可能である。
【００４６】
好ましくは、フレッシュニング組成物は、二級又は三級アミンを含む。二級又は三級アミンが存在する場合、フレッシュニング組成物は、当該組成物の総重量に基づいて、約１：１のイオウ含有プロ香料の二級又は三級アミンに対する重量比を有し得る、あるいは、プロ香料の重量はアミンの重量以上でなければならない。二級又は三級アミンが存在する場合、酸性緩衝剤の二級又は三級アミンに対する重量比は、３：１以上、又は５：１超、又は６：１超であり得る。
【００４７】
フレッシュニング組成物は、一級アミンを含まなくてもよい。理論に束縛されるものではないが、一級アミンは、イオウ含有プロ香料の不安定な香料原料との反応を阻害すると考えられる。
【００４８】
フレッシュニング組成物は、緩衝剤をその組成物の少なくとも約０重量％、あるいは少なくとも約０．００１重量％、あるいは少なくとも約０．０１重量％含んでもよい。また、組成物は、緩衝剤をその組成物の約１％以下、あるいは約０．７５重量％以下、あるいは約０．５重量％以下含んでもよい。
【００４９】
可溶化剤
透明な溶液を形成するために、フレッシュニング組成物は、任意の過剰の疎水性有機物質、特に、任意のＰＲＭ、また、当該組成物に添加することができるが、当該組成物に容易には溶解しない任意成分（例えば、害虫忌避剤、酸化防止剤など）を可溶化する可溶化助剤を含有し得る。好適な可溶化助剤は、非起泡性又は低起泡性界面活性剤のような界面活性剤である。好適な界面活性剤は、アニオン性界面活性剤、非イオン性界面活性剤、カチオン性界面活性剤、両性界面活性剤、双極性界面活性剤、及びこれらの混合物である。
【００５０】
フレッシュニング組成物は、非イオン性界面活性剤、カチオン性界面活性剤、及びこれらの混合物を含有し得る。フレッシュニング組成物は、硬化ヒマシ油の界面活性剤誘導体を含有し得る。本組成物中で使用され得る好適なエトキシル化硬化ヒマシ油としては、ＢＡＳＦから入手可能なＢＡＳＯＰＨＯＲ（商標）及びＳｉｇｍａ  Ａｌｄｒｉｃｈから入手可能なＣＲＥＭＯＰＨＯＲ（商標）が挙げられる。
【００５１】
可溶化剤が存在するとき、可溶化剤は典型的には、フレッシュニング組成物の約０．０１重量％〜約３重量％、あるいは約０．０５重量％〜約１重量％、あるいは約０．０１重量％〜約０．０５重量％の濃度で存在する。フレッシュニング組成物は、プロ香料をフレッシュニング組成物に可溶化させるために、少なくともイオウ含有プロ香料と同量の可溶化剤を有し得る。このように、フレッシュニング組成物は、当該組成物の重量で、重量比約１：１の範囲の可溶化剤とイオウ含有プロ香料を含み得るか、又は少なくともイオウ含有プロ香料と同重量パーセントの可溶化剤を含み得る。
【００５２】
抗菌性化合物
フレッシュニング組成物は、空気中又は無生物表面上の微生物を減少させる化合物を有効量含み得る。抗菌性化合物は、カウチ、枕、ペットの寝具、及びカーペット等の、ヒトの皮膚又はペットと接触した室内表面上に典型的に存在するグラム陰性かつグラム陽性バクテリア及び菌類に有効である。このような微生物種としては、肺炎桿菌、黄色ブドウ球菌、黒色アスペルギルス、肺炎桿菌、化膿レンサ球菌（Steptococcus pyogenes）、豚コレラ菌、大腸菌、毛瘡白癬菌、及び緑膿菌（Pseudomonoas aeruginosa）が挙げられる。抗菌性化合物は、Ｈ１−Ｎ１、ライノウイルス、ＲＳウイルス、１型ポリオウイルス、ロタウイルス、Ａ型インフルエンザ、１型及び２型単純ヘルペス、Ａ型肝炎、並びにヒトコロナウイルスのようなウイルスにも有効であり得る。
【００５３】
フレッシュニング組成物において好適な抗菌性化合物は、布地の外観に損傷（例えば、変色、黄変などの着色、脱色）を引き起こさない任意の有機物質であり得る。水溶性抗菌性化合物としては、有機硫黄化合物、ハロゲン化化合物、環状有機窒素化合物、低分子量アルデヒド、四級化合物、デヒドロ酢酸、フェニル及びフェノキシ化合物、又はこれらの混合物が挙げられる。
【００５４】
第四級化合物が使用され得る。フレッシュニング組成物において使用するのに好適な市販の第四級化合物の例は、Ｌｏｎｚａ  Ｃｏｒｐｏｒａｔｉｏｎから入手可能なＢＡＲＱＵＡＴ（登録商標）、及びＬｏｎｚａ  Ｃｏｒｐｏｒａｔｉｏｎ製の商標名ＢＡＲＤＡＣ（登録商標）２２５０である塩化アンモニウムジメチルジデシルクアットである。
【００５５】
抗菌性化合物は、フレッシュニング組成物の約５００重量ｐｐｍ〜約７０００重量ｐｐｍ、あるいは約１０００重量ｐｐｍ〜約５０００重量ｐｐｍ、あるいは約１０００重量ｐｐｍ〜約３０００重量ｐｐｍ、あるいは約１４００重量ｐｐｍ〜約２５００重量ｐｐｍの量で存在してもよい。
【００５６】
防腐剤
フレッシュニング組成物は、防腐剤を含み得る。防腐剤は、特定の期間にわたって腐敗を防ぐか、又は不注意で入り込んでしまった微生物の増殖を防ぐのには十分であるが、フレッシュニング組成物の臭気中和性能に寄与するのには十分でない量で含まれ得る。換言すれば、防腐剤は、微生物によって生じる臭気を消す目的で、組成物を堆積させる表面上の微生物を殺す抗菌性化合物として使用されるのではない。むしろ、防腐剤は、フレッシュニング組成物の貯蔵寿命を長くする目的で、フレッシュニング組成物の腐敗を防ぐために用いられる。
【００５７】
防腐剤は、布地の外観に損傷（例えば変色、着色、脱色）を引き起こさない任意の有機防腐剤の物質であってもよい。好適な水溶性防腐剤としては、有機イオウ化合物、ハロゲン化化合物、環状有機窒素化合物、低分子量アルデヒド、パラベン、プロパンジオール（diaol）物質、イソチアゾリノン、第四級化合物、ベンゾエート、低分子量アルコール、デヒドロ酢酸、フェニル及びフェノキシ化合物、又はこれらの混合物が挙げられる。
【００５８】
市販の水溶性防腐剤の非限定的な例としては、Ｒｏｈｍ  ａｎｄ  Ｈａａｓ  Ｃｏ．によって商標名Ｋａｔｈｏｎ（登録商標）ＣＧで１．５％フレッシュニング溶液として入手可能な広域スペクトル防腐剤である、約７７％の５−クロロ−２−メチル−４−イソチアゾリン−３−オンと約２３％の２−メチル−４−イソチアゾリン−３−オンとの混合物；ＨｅｎｋｅｌからＢｒｏｎｉｄｏｘ  Ｌ（登録商標）の商品名で入手可能な５−ブロモ−５−ニトロ−１，３−ジオキサン；ＩｎｏｌｅｘからＢｒｏｎｏｐｏｌ（登録商標）の商品名で入手可能な２−ブロモ−２−ニトロプロパン−１，３−ジオール；クロロヘキシジン、並びにその例えば酢酸及びジグルコン酸との塩として一般的に知られている、１，１’−ヘキサメチレンビス（５−（ｐ−クロロフェニル）ビグアニド）；ＬｏｎｚａからＧｌｙｄａｎｔ  Ｐｌｕｓ（登録商標）の名称で入手可能な、１，３−ビス（ヒドロキシメチル）−５，５−ジメチル−２，４−イミダゾリジンジオンと３−ブチル−２−ヨードプロピニルカルバメートの９５：５混合物；Ｓｕｔｔｏｎ  Ｌａｂｏｒａｔｏｒｉｅｓ，Ｉｎｃ．からＧｅｒｍａｌｌ（登録商標）の商品名で入手可能であり、ジアゾリジニルウレアとして一般的に知られる、Ｎ−［１，３−ビス（ヒドロキシメチル）２，５−ジオキソ−４−イミダゾリジニル］−Ｎ，Ｎ’−ビス（ヒドロキシ−メチル）ウレア；例えば、３Ｖ−Ｓｉｇｍａから商標名Ａｂｉｏｌ（登録商標）として、ＩｎｄｕｃｈｅｍからＵｎｉｃｉｄｅ  Ｕ−１３（登録商標）として、Ｓｕｔｔｏｎ  Ｌａｂｏｒａｔｏｒｉｅｓ，Ｉｎｃ．からＧｅｒ−ｍａｌｌ  １１５（登録商標）として入手可能な、イミダゾリジニルウレアとして一般的に知られている、Ｎ，Ｎ’’−メチレンビス｛Ｎ’−［１−（ヒドロキシメチル）−２，５−ジオキソ−４−イミダゾリジニル］ウレア｝；Ｎｕｏｓｅｐｔ（登録商標）Ｃの商品名でＨｕｅｌｓ  Ａｍｅｒｉｃａから入手可能なポリメトキシ二環オキサゾリジン；ホルムアルデヒド；グルタルアルデヒド；ＩＣＩ  Ａｍｅｒｉｃａｓ，Ｉｎｃ．から商標名Ｃｏｓｍｏｃｉｌ  ＣＱ（登録商標）として、又はＢｒｏｏｋｓ，Ｉｎｃから商標名Ｍｉｋｒｏｋｉｌｌ（登録商標）として入手可能なポリアミノプロピルビグアニド；デヒドロ酢酸；並びにＲｏｈｍ  ａｎｄ  Ｈａｓｓ  Ｃｏｒｐｏｒａｔｉｏｎから商標名Ｋｏｒａｌｏｎｅ（商標）Ｂ−１１９として入手可能なベンズイソチアゾリノンが挙げられる。
【００５９】
防腐剤の好適な濃度は、フレッシュニング組成物の約０．０００１重量％〜約０．５重量％、あるいは約０．０００２重量％〜約０．２重量％、あるいは約０．０００３重量％〜約０．１重量％である。
【００６０】
湿潤剤
フレッシュニング組成物が、ポリエステル及びナイロンのような疎水性表面上に容易かつより均一に展着できるようにする、低表面張力をもたらす湿潤剤を、フレッシュニング組成物は任意選択で含んでもよい。フレッシュニング組成物は、このような湿潤剤がないと、十分には広がらないことが見出されている。本組成物によって処理した物質をユーザがすぐに使える状態にできるように、組成物が広がることによって、組成物がより速く乾く。更に、湿潤剤を含有する組成物は、改良された悪臭中和のために、疎水性の油性汚れによりよく浸透するだろう。湿潤剤を含有する組成物は、「衣服着用中」の静電気制御性を向上させることもできる。濃縮組成物では、湿潤剤は、濃縮フレッシュニング組成物中の抗菌性活性物質及び香料などの多くの活性物質の分散を促進する。
【００６１】
湿潤剤の非限定的な例としては、エチレンオキシドとプロピレンオキシドとのブロックコポリマーが挙げられる。好適なブロックポリオキシエチレン−ポリプロピレンポリマー界面活性剤としては、初期の反応性水素化合物として、エチレングリコール、プロピレングリコール、グリセロール、トリメチロールプロパン及びエチレンジアミンに基づくものが挙げられる。Ｃ１２〜１８の脂肪族アルコールなどの単一の反応性水素原子による初期化合物の逐次エトキシル化及びプロポキシル化によって作製されるポリマー化合物は、一般的に、シクロデキストリンと相溶性ではない。ＢＡＳＦ−Ｗｙａｎｄｏｔｔｅ  Ｃｏｒｐ．（Ｗｙａｎｄｏｔｔｅ，Ｍｉｃｈｉｇａｎ）によってＰｌｕｒｏｎｉｃ（登録商標）及びＴｅｔｒｏｎｉｃ（登録商標）と命名された特定のブロックポリマー界面活性剤化合物は、容易に入手することができる。
【００６２】
この種類のシクロデキストリン相溶性湿潤剤の非限定例は米国特許第５，７１４，１３７号に記載されており、Ｍｏｍｅｎｔｉｖｅ  Ｐｅｒｆｏｒｍａｎｃｅ  Ｃｈｅｍｉｃａｌ、Ａｌｂａｎｙ、Ｎｅｗ  Ｙｏｒｋから入手可能なＳｉｌｗｅｔ（登録商標）という界面活性剤が挙げられる。例示的なＳｉｌｗｅｔ界面活性剤は、以下のとおりである。
【００６３】
【表２】
2019510567.tif 000009
及びこれらの混合物。
【００６４】
フレッシュニング組成物中の界面活性剤（例えば、可溶化剤、湿潤剤）の総量は、フレッシュニング組成物の０重量％〜約３重量％又は３重量％以下、あるいは０重量％〜約１重量％又は１重量％以下、あるいは０重量％〜約０．９重量％又は０．９重量％以下、あるいは０重量％〜約０．７又は０．７重量％以下、あるいは０重量％〜約０．５重量％又は０．５重量％以下、あるいは０重量％〜０．３重量％又は約０．３重量％以下である。濃度の高い組成物ほど、布地が汚れの影響を受けやすくなり得、及び／又は、フレッシュニング組成物の溶液が蒸発すると、許容不能な目に見える染みが布地上に残り得る。
【００６５】
イオウ含有プロ香料の総界面活性剤に対する重量比は、約１：１〜約１：６０、又は約１：１〜約１：３０であり得る。
【００６６】
キャリア
水性組成物は、担体を含む。使用される担体は、水であり得る。水は、蒸留水、脱イオン水、水道水、又は更には精製された形態の水であり得る。水は、水溶液である組成物に任意の量で存在していてもよい。水は、当該フレッシュニング組成物の約８５重量％〜９９．５重量％、あるいは約９０重量％〜約９９．５重量％、あるいは約９２重量％〜約９９．５重量％、あるいは約９５重量％以上の量で存在し得る。また、少量の低分子量の一価アルコール、（例えばエタノール、メタノール、及びイソプロパノール、又はエチレングリコール及びプロピレングリコール等のポリオール）を含有する水も有用であり得る。しかしながら、エタノール及び／又はイソプロパノールのような揮発性の低分子量一価アルコールは制限すべきであり、これは、これらの揮発性有機化合物が、引火性の問題と環境汚染の問題の双方の一因になるからである。少量の低分子量一価アルコールを香料として及び一部の防腐剤については安定化剤として組成物に添加したことにより、これらアルコールが当該組成物に存在する場合、一価アルコールの濃度は、フレッシュニング組成物の約６重量％未満、あるいは約３重量％未満、あるいは約１重量％未満であり得る。
【００６７】
アジュバントを公知の目的で、本発明のフレッシュニング組成物に任意選択で加えることができる。このようなアジュバントとしては、水溶性金属塩、帯電防止剤、害虫及び蛾忌避剤、着色剤、酸化防止剤、及びこれらの混合物が挙げられるが、これらに限定されない。
【００６８】
製造方法
フレッシュニング組成物は、当該技術分野において公知の任意の好適な方法で作製することができる。成分の全てを単に混合してもよい。製造方法は、当該組成物を空気中又は無生物表面上に分散させる前に、成分の濃縮混合物を作製し、それを担体に添加することによって当該濃縮混合物を希釈することを含み得る。当該製造方法は、イオウ含有プロ香料以外の成分を全て混合した後、他の成分の混合物にイオウ含有プロ香料を添加することを含み得る。また、当該方法は、当該組成物の他の成分と混合する前に、イオウ含有プロ香料を可溶化剤、ポリオール、及び／又は緩衝剤などのいくつかの成分と予め混合することも含み得る。
【００６９】
フレッシュニング製品
フレッシュニング組成物を任意の好適なパッケージにパッケージ化して、フレッシュニング製品を形成することができる。パッケージは、スプレーディスペンサの形態であり得る。
【００７０】
スプレーディスペンサは、フレッシュニング製品の外側からフレッシュニング組成物を視認できる又は少なくとも部分的に視認できるように透明又は半透明であり得る。
【００７１】
スプレーディスペンサは、プラスチック、金属、ガラス、又はこれらの組み合わせを含む様々な材料で構成され得る。スプレーディスペンサは、加圧されていてもよく、加圧されていなくてもよい。
【００７２】
ある好適なディスペンサは、プラスチック製のエアゾールディスペンサである。ディスペンサは、以下で構築され得る：高密度ポリエチレンなどのポリエチレン；ポリプロピレン、ポリエチレンテレフタレート（「ＰＥＴ」）；酢酸ビニル、ゴムエラストマー、及びこれらの組み合わせ。スプレーディスペンサは、透明なＰＥＴで作製され得る。
【００７３】
別の好適なスプレーディスペンサは、Ａｆａ  Ｄｉｓｐｅｎｓｉｎｇ  Ｇｒｏｕｐ製のＦＬＡＩＲＯＳＯＬ（商標）ディスペンサなどの連続動作噴霧器を含む。ＦＬＡＩＲＯＳＯＬ（商標）ディスペンサは、予圧スプレーエンジンを備えるバッグインバッグ又はバッグインカン型容器と、フレッシュニング組成物のエアゾール様加圧物とを含む。
【００７４】
スプレーディスペンサは、様々な量のフレッシュニング組成物を保持し得る。
【００７５】
スプレーディスペンサは、約０．１ＭＰａ〜約０．９７ＭＰａ（約２０ｐ．ｓ．ｉ．ｇ〜約１４０ｐｓｉｇ）、あるいは約０．６〜約０．９０ＭＰａ（約８０〜約１３０ｐ．ｓ．ｉ．ｇ）の範囲の内圧に耐えることができ得る。
【００７６】
全組成物出力及び噴霧液滴／粒径分布は、粒子除去効果を支援するが、表面が湿るという問題を回避するように選択され得る。全算出量は、噴霧ディスペンサから放出される組成物の流量によって決定される。表面の湿りを最小化するスプレープロファイルを達成するためには、流量を少なく、噴霧液滴を小さくすることが望ましい。
【００７７】
流量は、任意の６０秒間の使用中に容器から放出される組成物の量を測定することによって求められる。スプレーディスペンサから放出される組成物の流量は、約０．０００１グラム／秒（ｇ／秒）〜約２．５グラム／秒であり得る。あるいは、流量は、約０．００１グラム／秒〜約１．８グラム／秒、又は約０．０１グラム／秒〜約１．６グラム／秒であってもよい。
【００７８】
噴霧液滴の平均粒径は、約１０μｍ〜約１００μｍ、あるいは約２０μｍ〜約６０μｍの範囲であり得る。噴霧液滴の少なくともいくつかは、少なくとも約１０分間、場合によっては、少なくとも約１５分間、又は少なくとも約３０分間、空気中に浮遊するのに十分な程度小さなサイズである。
【００７９】
噴霧が広い円錐角で分注されるときに、小さい粒子を効率的に作製することができる。所定のノズル構成要素及び導管に関して、導管内のノズルの挿入深さを変更することによって円錐角を修正することができる。円錐角は、約２０度超、又は約３０度超、又は約３５度超、又は約４０度超、又は約５０度超であり得る。
【００８０】
スプレーディスペンサは、容器の基部に平行である角度とそれに垂直な角度との間の角度で組成物を噴霧するように構成されていてよい。噴霧液滴の望ましいサイズは、狭い範囲の液滴サイズを提供するように設定することができる他の種類のスプレーディスペンサによっても送達され得る。このような他のスプレーディスペンサとしては、噴霧器、超音波ネブライザ、静電噴霧機、及び回転盤噴霧機が挙げられるが、これらに限定されない。
【００８１】
加圧スプレーディスペンサは、噴射剤を含み得る。様々な噴射剤を用いてよい。噴射剤は、炭化水素（複数可）；窒素、二酸化炭素、空気などの圧縮ガス（複数可）；液化ガス（複数可）又はヒドロフルオロオレフィン（「ＨＦＯ」）；及びこれらの混合物を含み得る。好ましくは、製品は、圧縮空気、圧縮窒素、及びこれらの組み合わせなどの圧縮ガスからなる群から選択される噴射剤を含む。米国官報４９Ｃ．Ｆ．Ｒ．§１．７３．１１５第２部、２．２項に列挙されている噴射剤が、許容可能であると考えられる。噴射剤は、特に、トランス−１，３，３，３−テトラフルオロプロパ−１−エン、及び所望によりＣＡＳ番号１６４５−８３−６のガスを含む場合がある。このような噴射剤は、これらが可燃性ではないという効果をもたらすが、フレッシュニング組成物は不燃性噴射剤には限定されない。あるこのような噴射剤は、Ｈｏｎｅｙｗｅｌｌ  Ｉｎｔｅｒｎａｔｉｏｎａｌ（Ｍｏｒｒｉｓｔｏｗｎ，Ｎｅｗ  Ｊｅｒｓｅｙ）から商標名ＨＦＯ−１２３４ｚｅ又はＧＷＰ−６として市販されている。
【００８２】
所望により、噴射剤は、凝縮性であり得る。「凝縮性」とは、スプレーディスペンサ内及び使用中に生じる圧力下において、噴射剤が、ガス状の物質から液体状の物質へと変化することを意味する。一般的に、最高圧力は、スプレーディスペンサにフレッシュニング組成物が充填された後であるが、ユーザがフレッシュニング組成物を最初に分散させる前に生じる。凝縮性噴射剤は、使用中にフレッシュニング組成物が枯渇するにつれて減圧曲線がより平坦になるという利点をもたらす。
【００８３】
加圧スプレーディスペンサは、炭化水素噴射剤を含まなくてもよい。
【００８４】
フレッシュニング組成物は、流れを制御し、スプレーディスペンサ内にフレッシュニング組成物を密封するための弁、ボタンアクチュエータ、及び環境にフレッシュニング組成物を分散させるためのノズルを含むが、これらに限定されない送達部品を含むスプレーディスペンサから送達され得る。
【００８５】
水性組成物は、バッグインカン型プラスチックスプレーディスペンサ内に収容され得る。
【００８６】
使用方法
フレッシュニング組成物は、分散させることによって、例えば、スプレーディスペンサなどのディスペンサ内にフレッシュニング組成物を入れ、有効量を空気中又は所望の無生物表面若しくは物品上に噴霧することによって、使うことができる。「有効量」とは、フレッシュニング組成物の量に関して使用される場合、処理された空気、表面、又は物品に清浄さ又は香りを少なくとも約４時間、又は少なくとも約６時間、又は少なくとも約８時間、又は少なくとも約２４時間提供するのに十分であるが、物品又は表面に液体が染みこんだり、又は液体の水溜りができたりして、乾いたときに、容易に認識可能な目に見える堆積物ができるほどではない量を意味する。悪臭減少成分が含まれる場合、「有効量」とは、フレッシュニング組成物の量に関して使用される場合、前述の事項を提供し、またヒトの臭覚によって認識できないうえに、物品又は表面に液体が染みこんだり、又は液体の水溜りができたりして、乾いたときに、容易には認識可能な目に見える堆積物ができることのない程度に達するほど悪臭を中和する量を意味する。散布は、スプレー器具、ローラー、パッド等を使用して行うことができる。
【００８７】
本明細書に記述される全ての百分率は、特に指定のない限り、重量による。本明細書全体を通じて与えられるあらゆる最大数値限定は、それより低いあらゆる数値限定を、そのようなより低い数値限定が本明細書に明確に記載されているかのように含むことを理解すべきである。本明細書全体を通して与えられる全ての最小数値限定は、それよりも高い全ての数値限定を、かかるより高い数値限定があたかも本明細書に明示的に記載されているかのように含むことになる。本明細書全体を通して与えられる全ての数値範囲は、かかるより広い数値範囲内に含まれるより狭い全ての数値範囲を、かかるより狭い数値範囲があたかも全て本明細書に明示的に記載されているかのように含むことになる。
【００８８】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば「４０ｍｍ」として開示される寸法は、「約４０ｍｍ」を意味するものとする。
【００８９】
あらゆる相互参照される又は関連する特許若しくは出願を含む、本明細書に引用される全ての文書は、明示的に除外される、又は別途限定されない限り、参照によりその全体が本明細書に組み込まれる。いかなる文献の引用をも、本明細書中で開示又は特許請求される任意の発明に対する先行技術であるとはみなされず、あるいはそれを単独で又は他の任意の参考文献（単数又は複数）と組み合わせたときに、そのような任意の発明を教示、示唆、又は開示するとはみなされない。更に、本文書における用語の任意の意味又は定義が、参照することにより本明細書に援用された文書内の同じ用語の意味又は定義と矛盾する場合、本文書におけるその用語に与えられた意味又は定義が適用されるものとする。
【００９０】
本発明の特定の実施形態について説明し記載したが、様々な他の変更及び修正が、本発明の趣旨及び範囲から逸脱することなくなされ得ることが、当業者には明らかとなろう。したがって、本発明の範囲内に含まれるそのような全ての変更及び修正は、添付の特許請求の範囲にて網羅することを意図したものである。
【国際調査報告】
2019510567.tif 000010
2019510567.tif 000011
2019510567.tif 000012